(57)【要約】【課題】従来の養生方法では、建物の屋根部と軒部に本体の固定部を当てがい、螺軸で締めて本体を取付け養生ネットを装着するが、固定部が２支点であるから極めて本体の安定が悪い。【解決手段】中空軸の下側のア−ム支持手段に又状のア−ムを設け両端部に固定支持具を設け、上側のア−ム支持手段に螺合部を設け、螺着した螺軸の上部にハンドルを設け、下部に回動部を介し両端部に固定保持具を設けたア−ムを設け構成することにより、固定部が４支点で形成されるので本体を建物に確実に固定して安定できる。また、ジャッキ手段を備えた支柱体で下方より本体を固定支持できるので、より安定することができる。よって、本体に養生装置をより確実にできる。【選択図】図１
2005256598.tif 000002
【特許請求の範囲】
【請求項１】
建物の外部の洗浄及び塗装工事における飛散防止装置並びに該装置に用いる支柱体及びその構造であって、建物に対して取外し可能に複数体を装着して構成する本体で、下部に位置し先部が又状で成るア−ム支持手段を中空軸支持手段に設け、前記ア−ムの先部に固定支持具を設け、上部に位置するア−ム支持手段を前記中空軸支持手段に設け、該前記ア−ム支持手段に着脱手段の螺合体を設け、前記螺合体の螺軸に設けた回動部を介してア−ムを設け、該前記ア−ムの両端に固定保持具を設け、前記中空軸支持手段に係止具を設けて、支持手段及び着脱手段で形成する前記本体を設け、前記中空軸支持手段に取付けた支柱及び架設部材に養生ネットを取付けた建物の外部の洗浄及び塗装工事における飛散防止装置。
【請求項２】
着脱手段の前記螺軸の前記回動部に一方の辺部を長めに形成したてア−ムを固設し、前記本体を構成して前記建物に装着した請求項１記載の建物の外部の洗浄及び塗装工事における飛散防止装置。
【請求項３】
前記回動部に弾力体で下方に湾曲して成るア−ム体を固設し、前記本体を構成して前記建物に装着した請求項１または２記載の建物の外部の洗浄及び塗装工事における飛散防止装置。
【請求項４】
内側に位置する折曲片の高さを長めに形成した凹状の固定支持具を又状の前記ア−ム両端に設け、前記本体を構成して前記建物に装着した請求項１〜３のいずれかに記載の建物の外部の洗浄及び塗装工事における飛散防止装置。
【請求項５】
突設部を設けた固定保持具を前記回動部の前記ア−ムの両端部に設け、前記本体を構成して前記建物に装着した請求項１〜４のいずれかに記載の建物の外部の洗浄及び塗装工事における飛散防止装置。
【請求項６】
下部に位置する前記ア−ム支持手段で、ア−ムのストレ−ト部に前後にストッパ−を設け回転部を密嵌して設け、前記回転部に前記固定支持具を有する又状の前記ア−ムを設けて、前記本体を構成して前記建物に装着した請求項１〜５のいずれかに記載の建物の外部の洗浄及び塗装工事における飛散防止装置。
【請求項７】
上部に位置する前記ア−ム支持手段の取付け部に切欠部を設けた支筒を設け、前記中空軸支持手段に設けた支軸に挿着した前記支筒の前記切欠部を係止し、前記ア−ム支持手段を着脱可能に設け、前記本体を構成し前記建物に装着した請求項１〜６のいずれかに記載の建物の外部の洗浄及び塗装工事における飛散防止装置。
【請求項８】
下部に位置する又状の前記ア−ムの下部に切欠部を設けた支筒を軸着して設け、支柱体で支柱の下部に伸縮手段とジャッキ手段との組合せからなる脚を設け、上部に支軸を固着し、該前記支軸を介し前記支筒に挿着して該前記支柱体を取付け、該前記支柱体で前記本体を建物に固定して支持することを特徴とする、請求項７記載の建物の外部の洗浄及び塗装工事における飛散防止装置に用いる支柱体。
【請求項９】
下部に位置する前記ア−ム支持手段の前記中空軸側のア−ム部に支持杆を設け、伸縮手段とジャッキ手段を備えた前記脚を有する前記支柱体の２柱間に踏み桟を設け、前記支柱体をはしご状に形成し、支柱の片方の上部を前記支筒に挿着し、一方の支柱に延びる最上部の前記踏み桟を前記支持杆に係着し、前記本体に配置して取付けた前記支柱体の前記踏み桟に足場板を架設して構成するものであることを特徴とする、請求項７記載の建物の外部の洗浄及び塗装工事における飛散防止装置に用いる支柱体。
【請求項１０】
螺軸の上部に設けた段部より長手方向にレ−ル溝を設け、一方に長手方向に設けた溝に上下に並列して突設する複数の被係止部を溝を介在し設け、支柱の中空内に設けた係止部のレ−ルに前記螺軸の前記レ−ル溝を開口部側に前記被係止部を位置し係着して伸縮手段を設け、棒状のハンドルを設けたジャッキ部の固定支持具を前記螺軸に螺着し、下部にベ−ス体を固設してジャッキ手段を設け、伸縮手段とジャッキ手段との組合わせから成る脚を前記支柱に内設し、内設したスプリングあるいはバネなどの弾力体を介して設けた係止体の係止部を前記開口部に介在し、下部に設けた延出部を前記支柱の下端部より突出して前記係止体を前記支柱に固設し、前記支柱の上部に支軸を固着して構成するものであることを特徴とする、請求項８〜９に記載の建物の外部の洗浄及び塗装工事における飛散防出装置に用いる支柱の構造。
【発明の詳細な説明】
【技術分野】
【０００１】  本発明は、建物の外部の屋根及び外壁の洗浄並びに塗装工事をする際に、洗浄時の汚れや塗装時の塗料が周辺へ飛散しないよう防止する装置並びに該装置に用いる支柱体及びその構造に関する。
【背景技術】
【０００２】  従来の技術においては、陸屋根のパラペットに複数体のガイドレ−ル支持手段を取り付け、該前記ガイドレ−ルに沿ってガイド部材で養生シ−トを取り付けて飛散防止するものがある（特許文献１参照）
また、取り付け部を挟着式に形成した本体を屋根の上部より軒に複数体取り付け、該前記本体に支柱並びに架設部材を取り付け、前記支柱並びに前記架設部材に養生ネットを取り付け飛散防止するものもある（特許文献２参照）
また、支持手段で構成する本体を下方より支柱体で建物の軒部に複数体固定して取り付け、各本体の架設部材並びに支持支柱に養生ネットを取り付けて飛散防止をするものもある（特許文献３参照）
また、意匠にＬ字支柱の下部のア−ム支持手段の先部が二又状で、上部のア−ム支持手段に螺合体からなる着脱手段を取り付けた屋根の塗装の飛散防止具もある（特許文献４参照）【０００３】  以下、図１２、図１３、図１４、図１５により塗装の飛散防止装置について説明する。図１２において、陸屋根２のパラペット４に対し固定支持部１２、支柱１４及びア−ム１６からなるガイドレ−ル３０のガイドレ−ルユニット１８にガイド部材２２を介して養生シ−トが装着されている。【０００４】  図１３において、ア−ム３の基体２１とア−ム５の螺軸体１１で本体１を建物の屋根及び軒に挟着し固定して、前記本体１に取り付けた支柱体並びに架設体に養生ネットが装着されている。【０００５】  図１４において、本体１の支軸５に支杆２０を介し支柱体２３を装着し、基体２の当て具１２を建物の軒部に当てがい前記支柱体２３の下部のジャッキベ−ス２４で前記本体１を固定して取付け、架設体２６に養生ネット２７が装着されている。【０００６】  図１５において、Ｌ字状の支柱の下部のア−ムに回転部を介在し先部に固定部を設けた二又ア−ムを設け、上部のア−ムの先部に螺合部を介し螺軸体から成る固定手段が設けられて本体が形成されている。【０００７】
【特許文献１】  特開平０８−１２０８５２号公報
【特許文献２】  特開２００３−２０１７６４号
【特許文献３】  特願２００４−０６８０９７号
【特許文献４】  意願２００４−２６８８２号
【発明の開示】
【発明が解決しようとする課題】
【０００８】  以上に述べた従来の技術て先に述べたものにおいては、陸屋根以外の屋根及び外壁の塗装には不向きであり、また、塗装時においても養生シ−トをその都度塗装位置に移動せねばならず面倒であった。また、養生シ−トの固定部がガイドレ−ルユニットのガイド部材のみであるからシ−トが風で仰られやすい。
次に述べたものにおいては、本体を建物に固定する取り付け部が二支点であるから、風が養生ネットに当たるとその抵抗で本体の安定がわるかった。
また、その次に述べたものにおいては、本体を建物の軒部に支柱体で取り付ける際に、本体を軒に当てたまま支柱体の下部に固定具のジャッキベ−スを取り付けにくかった。また、外壁塗装の際に足場板を取り付ける装置が前記支柱体になかった。【０００９】  本発明は、このような従来の構成が有していた問題を解決しようとするものであり、建物に対して確実に固定できるもので屋根の形状を問わず、また、外壁塗装も円滑に作業できることを目的とするものである。
【課題を解決するための手段】
【００１０】  建物に対して取り外し可能に複数体を装着して構成する本体で、中空軸支持手段の下部に先部が二又でなるア−ム支持手段を設け、前記二又の先部に固定支持具を設け、前記ア−ム支持手段の上部で前記中空軸支持手段にア−ム支持手段を設け、該前記ア−ム支持手段に着脱手段の螺合体を設け、前記螺合体の螺軸の下部に回動部を介し両端に固定保持具を設けたア−ム体を設け、前記中空軸支持手段に係止具を設け支持手段及び着脱手段で形成する前記本体を設け、前記中空軸支持手段に取り付けた支柱並びに架設部材に養生ネットを取り付けて構成したものである。【００１１】  前記回動部に取り付けて分岐するア−ムの辺部を長短に設定し固着して着脱手段のア−ムを形成し、前記本体を構成したものである。【００１２】  前記回動部に弾力体で下方に湾曲したア−ム体を固着して着脱手段のア−ムを形成し、前記本体を構成したものである。【００１３】  折曲片の高さの低い方を前側にして凹状の固定支持具を先部が又状の前記ア−ム支持手段に設けて形成し、前記本体を構成したものである。【００１４】  突設部を設けた固定保持具を着脱手段で前記回動部の前記ア−ムの両端部に設けて形成し、前記本体を構成したものである。【００１５】  下部に位置する前記ア−ム支持手段のストレ−ト部の先部に前後にスットパ−を設け回転部を密嵌して設け、前記回転部に又状の前記ア−ムを設けて形成し、前記本体を構成したものである。【００１６】  上部に位置する前記ア−ム支持手段の取付け部に切欠部を設けた支筒を設けて前記中空軸支持手段に挿着し、前記中空軸に設けた支軸に前記切欠部を係止して、着脱可能に前記ア−ム支持手段を形成し、前記本体を構成したものである。【００１７】  下部に位置する前記ア−ム支持手段で又状のア−ムの下部に切欠部を設けた支筒を軸着して設け前記本体を構成し、支柱体で支柱の下部に伸縮手段とジャッキ手段との組合わせからなる脚を中空部に取付け、上部に支軸を固着して前記支柱体を構成し、前記支軸を前記支筒の前記切欠部に挿着し係止して前記支柱体を取り付け、下部のジャッキ部で前記本体を建物に固定して支持し飛散防止装置を構成したものである。【００１８】  前記中空軸側で下部に位置する前記ア−ム支持手段のア−ム部に支持杆を設けて前記本体を構成し、伸縮手段とジャッキ手段を備えた脚を有する前記支柱体の２柱間に踏み桟を設けてはしご状の支柱体を形成し、片側の支柱の上部を前記支筒に挿着して前記支軸を前記切欠部に係止し、最上部の前記踏み桟を前記支持杆に係着しはしご状の前記支柱体を取り付け、下部の前記ジャッキ部で前記本体を建物に固定して支持し、取り付けた各前記支柱体の前記踏み桟に足場板を取り付けて飛散防止装置を構成したものである。【００１９】  螺軸の上部に設けた段部より長手方向にレ−ル溝を設け、一方に長手方向に設けた溝に上下に並列して突設する複数の被係止部を溝を介在して設け、支柱の中空内に設けた係止部のレ−ルに前記螺軸の前記レ−ル溝を開口部側に前記被係止部を位置し係着して伸縮手段を設け、棒状のハンドルを設けたジャッキ部の固定支持具を前記螺軸に螺着し、下部にベ−ス体を固設してジャッキ手段を設け、伸縮機能とジャッキ機能を組合わせた���を前記支柱に装着して形成し、係止体の内設したスプリングやバネなどの弾力体を介して設けた係止部を前記開口部に介在し、下部に設けた延出部を前記支柱の下端部より突出して前記係止体を前記支柱に固設し、前記支柱の上部に支軸を固着して構成した飛散防止装置に用いる支柱の構造である。【００２０】  上記の課題解決手段による作用は次ぎの通りである。すなわち、建物の軒部などに複数体の本体が中空軸支持手段より延びる各ア−ム支持手段の固定支持具並びに着脱手段の固定保持具により固定され、取り付けられた複数の前記本体の前記中空軸支持手段より上部及び下部に支柱並びに架設部材が取り付けられ、前記支柱及び前記架設部材に養生ネットが装着され建物の周囲を囲うことになるから飛散の防止をすることができる。【００２１】  次に、屋根の勾配に応じて着脱手段の回動部が回動して本体が垂設され、前記回動部を支点に長短で形成する両端に固定保持具を有するア−ムの長辺部を上部側に位置させ、螺軸を締めることで前記本体の前後の倒れを防止してより安定させることができる。【００２２】  次に、回動部のア−ム体を弾力体で構成することで、螺軸で締めることにより元に戻ろうとする力が伴うから本体をより安定できる。【００２３】  次に、屋根より本体の下部に位置するア−ム支持手段を軒樋の下側より挿入し、凹状の固定支持具の前側に位置する折曲片の低い方を鼻かくし板に当がい、そのまま本体を下方へ下げることで前記折曲片が鼻かくし板より外れ、その形で内側に本体を引くと高い方の折曲片に鼻かくし板が当るので、そのまま本体を上方に上げると凹状の溝に鼻かくし板の下辺部が収まり、屋根側の螺軸を締めることで本体を固定して屋根より建物に取付けることができる。【００２４】  次に、回動部のア−ム体の固定保持具に下部に複数の突設部を固設することにより、螺軸を締めることで力が複数の前記突設部に伝わり、固定支点が分散して押止することになるから、本体をより安定して固定できる。【００２５】  次に、下部に位置するア−ム支持手段に回転部を密嵌して取付け、前記回転部に固定支持具を有する又状のア−ムを取付け、前記回転部を左右に回転させることで軒部の勾配を有する破風板などに本体を垂設し取付けることができる。また、前記固定支持具が又状の前記ア−ムで支持されることにより本体の左右の倒れを防止し安定できる。【００２６】  次に、上部に位置するア−ム支持手段の取付け部に支筒を固設し着脱可能にすることにより、例えば、外壁だけの塗装の場合に外壁面の前側だけに養生するので、前記ア−ム支持手段は必要とせず中空軸支持手段から外すことで本体を取付ける際に邪魔にならない。【００２７】  次に、下部に位置するア−ム支持手段に支筒を取付けることにより、前記支筒に伸縮機能とジャッキ機能を有する却を取付けた支柱を装着し、下方より本体を建物の軒部に前記支柱のジャッキ部で固定し取付け飛散防止の装置ができる。【００２８】  次に、下部に位置するア−ム支持手段の中空軸側のア−ム部に支持杆を取付けることにより、支柱部に伸縮手段とジャッキ手段を有する脚を取付けたはしご状の支柱体で、片側の支柱の上部を前記ア−ム支持手段で又状のア−ムの支筒に装着し、一方の支柱に伸びる���上部の踏み桟を前記支持杆に係着し、又状の前記ア−ム側の支柱のジャッキ部を締めて本体を建物に固定して取付け、一方の支柱の脚部を下面に伸ばしベ−ス部で支持し安定することで前記踏み桟に足場板が架設できる。
【発明の効果】
【００２９】  上述したように本発明は、建物に取付けた本体の中空軸支持手段に取付けた支柱に架設部材を取付けることにより、養生ネットを取り付けられるので、洗浄時の汚れ及び塗装時の塗料の飛散を防止することができる。【００３０】  また、又状のア−ム並びに回動部を介し螺軸部の先部に取付けた各固定部が４支点により本体を固定することで、本体をより安定できる。【００３１】  また、螺軸の回動部の長短で形成するア−ムの長辺部を屋根勾配の上部側に位置し螺軸を締めて本体を固定することにより、本体の前後の倒れを防止しより安定を保持する。【００３２】  また、建物に取付けられた本体が又状のア−ムの両端部の固定支持具により、本体の左右の倒れを防止しより安定することができる。【００３３】  また、下方より支柱体で本体を支柱のジャッキ部で締めて固定し支持することにより、本体をより安定することができる。【００３４】  また、はしご状の支柱体を本体に取付けて固定することにより、支柱体の踏み桟に足場板を架設できるので、塗装作業が円滑にできる。【００３５】  また、本体並びに支柱体は軽金属で軽量体に形成できるので、建物への取付けや運搬作業などが一人ででも容易にできる。
【発明を実施するための最良の形態】
【００３６】  以下、本発明の実施の形態について図面を参照して説明する。【００３７】  図１は、本発明による養生方法の一例を説明するための一部切欠概略斜視図である。【００３８】  図１において、２は建物の屋根で３は軒部の鼻かくし板などの被係止部であり、中空軸支持手段４に下部より支持する水平に取付けたア−ム支持手段５にア−ム６、６ａと軒部の被係止部３に取付けるための固定支持具７、７ａが取付けられ、上部より支持する水平に取付けたア−ム支持手段８に螺合部９と、該螺合部９に屋根２に対し着脱手段の螺軸１０を螺着し、上部にハンドル１４と下部に回動部１１を介してア−ム１２と固定保持具１３、１３ａを取付けて形成され、係止具１６がネジ１５で中空軸支持手段４のネジ１５ａに取付けられて本体１が構成され、中空軸支持手段４に支柱１７が係止具１６で係止し取付けられ、支柱１７に締着具１９で架設部材１８が固着され、架設部材１８と支柱１７及び中空軸支持手段４に養生ネット２２が取付けられ構成されている。【００３９】  図２において、螺軸１０の回動部１１に一方の辺部を長めに形成したア−ム２３、２３ａが固着され両端に固定支持具１３、１３ａが取付けられている。【００４０】  図３において、螺軸１０の回動部１１に弾力体で下方に湾曲して形成したア−ム２４が固着され両端に固定支持具１３、１３ａが取付けられている。【００４１】  図４において、ア−ム支持手段５の又状のア−ム６、６ａに内側に位置する折曲片の高さを長めに形成した凹状の固定支持具２５、２５ａが取付けられている。【００４２】  図５において、螺軸１０の螺合部１１のア−ム１２に、下部に突設部２７、２７ａを固着した固定支持部２６、２６ａが取付けられている。【００４３】  図６において、ア−ム支持手段５に回転部２８が密嵌して取付けられてストッパ−２９、２９ａが固着され、回転部２８に固定支持具７、７ａを有する又状のア−ム６、６ａが取付けられている。【００４４】  図７において、上部に位置するア−ム支持手段８に切欠部３１を設けた支筒３２を固着し、該支筒３２を中空軸支持手段４に挿着し支軸３０に切欠部３１を係止しア−ム支持手段８を着脱可能に構成して取付けている。【００４５】  図８において、ア−ム支持手段５に密嵌した回転部２８の下部に切欠部３５を設けた支筒３６を軸３７を介して軸着し、伸縮手段とジャッキ手段を備えた螺脚４４を装着してなる支柱３８の上部を支筒３６に挿着し、支軸４０を切欠部３５に係止して支柱体３８を取付けている。【００４６】  図９において、ア−ム支持手段５の中空軸４側のア−ム部に支杆５６を固着し、伸縮手段とジャッキ手段を備えたはしご状に形成する支柱体５８の片方の支柱の上部を支筒３６に挿着し、一方の支柱に伸びる最上部の踏み桟５７を支杆５６に係着して取付けた支柱体５８の踏み桟５７に足場板５９が架設されている。【００４７】  図１０において、支柱３８の開口部４０に脚４１の溝部４５を有する被係止部４６を位置させ、支柱３８のレ−ル３９に脚４１の上部に段部４３を設けたレ−ル溝４４が係着され、ジャッキ螺部４２にハンドル４８を付けたジャッキ部４７が螺着され下部にベ−ス４９が固着されて、伸縮手段とジャッキ手段とからなる脚４１が支柱３８に取付けられ、支柱３８の下端より延出部５３を突出させ、内設した脚４１の被係止部４６に開口部４０を介し係止部５２が係着され係止具５５が取付けられて支柱３８が構成されている。
【産業上の利用可能性】
【００４８】  以下、上記構成の動作を説明する。建物の屋根部並びに外壁部の洗浄時の汚れ並びに塗装時の塗料の飛散は、建物の周部に軒部などに配置し取付けた複数の本体１の中空軸支持手段４に装置した支柱１７並びに架設部材１８に取付けた養生ネット２２により、周辺への飛散を防止する効果が得られるものである。
【図面の簡単な説明】
【００４９】
【図１】  本発明による養生方法の一例を示す一部切欠概略斜視図
【図２】  辺部の長さが異なるア−ムを回動部に装着してなる要部斜視図
【図３】  弾力体で下方に湾曲したア−ムを回動部に装着してなる要部斜視図
【図４】  折曲片の高さが異なる固定支持具をア−ムに装着してなる要部斜視図
【図５】  突出部を固設した固定保持具をア−ムに装着してなる要部斜視図
【図６】  ア−ム支持手段にストッパ−と回転部を装着してなる要部斜視図
【図７】  ア−ム支持手段に取付けた支筒を中空軸に装着してなる要部斜視図
【図８】  回転部に装着した支筒に支柱体を装着してなる要部斜視図
【図９】  ア−ム支持手段に装着した支杆と支筒にはしご状の支柱体を装着してなる要部斜視図
【図１０】  支柱に脚と係止具を装着してなる要部断面図
【図１１】  はしご状の支柱体で本体を建物に装着してなる要部斜視図
【図１２】  本発明の本体の斜視図
【図１３】  支柱の要部断面図
【図１４】  脚の要部断面図
【図１５】  支柱に脚を装着してなる要部断面図
【図１６】  （背景技術）の（０００３）に記載の一部切欠概略斜視図
【図１７】  （背景技術）の（０００４）に記載の本体の要部斜視図
【図１８】  （背景技術）の（０００５）に記載の本体の要部斜視図
【図１９】  （背景技術）の（０００６）に記載の本体の左側面図と平面図
【符号の説明】
【００５０】      ４  中空軸
５、６、６ａ、８、１２  ア−ム
７、７ａ  固定支持具
９  螺合部
１０  螺軸
１３、１３ａ  固定保持具
１７  支柱
１８  架設部財
２２  養生ネット
３６  支筒
３８、５８  支柱体
４１  脚
５６  支杆
【図１】
2005256598.tif 000003
【図２】
2005256598.tif 000004
【図３】
2005256598.tif 000005
【図４】
2005256598.tif 000006
【図５】
2005256598.tif 000007
【図６】
2005256598.tif 000008
【図７】
2005256598.tif 000009
【図８】
2005256598.tif 000010
【図９】
2005256598.tif 000011
【図１１】
2005256598.tif 000012
【図１２】
2005256598.tif 000013
【図１３】
2005256598.tif 000014
【図１４】
2005256598.tif 000015
2005256598.tif 000016
【図１５】
2005256598.tif 000017
【図１６】
2005256598.tif 000018
【図１７】
2005256598.tif 000019
【図１８】
2005256598.tif 000020
【図１９】
2005256598.tif 000021
【手続補正書】
【提出日】平成17年5月3日(2005.5.3)
【手続補正１】
【補正対象書類名】図面
【補正対象項目名】全図
【補正方法】変更
【補正の内容】
【図１】
2005256598.tif 000022
【図２】
2005256598.tif 000023
【図３】
2005256598.tif 000024
【図４】
2005256598.tif 000025
【図５】
2005256598.tif 000026
【図６】
2005256598.tif 000027
【図７】
2005256598.tif 000028
【図８】
2005256598.tif 000029
【図９】
2005256598.tif 000030
【図１０】
2005256598.tif 000031
【図１１】
2005256598.tif 000032
【図１２】
2005256598.tif 000033
【図１３】
2005256598.tif 000034
【図１４】
2005256598.tif 000035
【図１５】
2005256598.tif 000036
【図１６】
2005256598.tif 000037
【図１７】
2005256598.tif 000038
【図１８】
2005256598.tif 000039
【図１９】
2005256598.tif 000040